(57)【要約】【課題】ガードレール支柱等の柱体根元及び周囲に生育する雑草を抑制し、交通視野の改善と地域景観の向上が図れる雑草防除と緑化を兼ね備えた防草緑化の提供。【解決手段】防草シートの中央に柱体と同径で数センチ高の円筒を構成し、前記円筒が左右に開閉可能な一筋の切込が形成された柱体根元周り防草シートで柱体根元を覆い、反射テープで円筒部を柱体に巻装固定し、当該柱体根元部に敷設された柱体根元周り防草シートの上面部とガードレールの柱体間にポリシート、不織布、格子状ネットシート乾燥草茎葉の順で構成された防草緑化シートを敷設し、当該防草緑化シートに一定間隔で直径数十ミリの植穴を複数形成し、この植穴の部分にイワダレソウ等の地被植物を肥沃土とともに植栽する柱体周りの防草緑化。【選択図】図６
2018038273.tif 000002
【特許請求の範囲】
【請求項１】
防草シートの中央に柱体直径と同径で数センチ高の円筒を構成し、前記円筒が左右に開閉可能な一筋の切込が形成されたことを特徴とする柱体根元周り防草シート。
【請求項２】
支柱等の柱体根元に設置する請求項１の柱体根元周り防草シートの円筒部分を反射テープで柱体に巻装固定し、柱体根元の雑草防除を図ることを特徴とする柱体根元周りの防草方法。
【請求項３】
下からポリシート、不織布、格子状ネットシート、乾燥草茎葉の順で構成されたことを特徴とする防草緑化シート。
【請求項４】
柱体根元に設置された請求項２の柱体根元周り防草シートの上と柱体間の部分に請求項３の防草緑化シートを敷設し、前記防草緑化シートに一定間隔で植穴を形成し、当該植穴にイワダレソウ等の地被植物を肥沃土とともに植栽することを特徴とする柱体周りの防草緑化。
【発明の詳細な説明】
【技術分野】
【０００１】
本発明は、道路に設置されているガードレールや道路標識等の柱体周りの雑草防除を図り、そこに短草植物による景観緑化を図る雑草防除と緑化を兼ね備えた柱体周りの防草緑化に関するものである。
【背景技術】
【０００２】
道路に設置されているガードレール等の支柱や電柱等の柱体物周りの土壌部分には雑草が生育し、草丈も高くなり、見通しが悪く交通の安全に支障をきたし、周囲の景観にも悪影響を及ぼすため、毎年膨大な経費を掛けて除草作業が行われている。しかも、この支柱や電柱等の柱体物周りの除草作業において、草刈機の刃が支柱や柱体物の根元に当たってしまい思わぬ事故の危険性があるため、支柱や柱体物根元付近については、余分な人手と時間をかけて除草作業が行われている。
【０００３】
そこで近年は、土中に埋設される支柱の土中との境界となる外周表面に、除草剤が含浸されたシール材を支柱に取付け、その周りを覆うように予め支柱に嵌合する溝部が形成されたコンクリートブロックを設置する支柱周りの無用植物の発生防止構造（特許文献１）を用いての支柱周りの雑草防除が開発されている。
【０００４】
しかし、特許文献１の支柱周りの無用植物の発生防止構造による雑草防草方法は、支柱周りの土を掘り、コンクリートブロックが設置できる空間を形成し、この空間部の支柱に除草剤が含浸されたシール材をテープで粘着し、その周りを覆うように予め支柱に嵌合する溝部が形成されたコンクリートブロックを設置して支柱周りの雑草生育を抑制する方法であるがシール材に除草剤を含浸させた除草剤は、蒸発する可能性や雨水等で流される可能性があるとともに液状の除草剤は、雑草の葉や茎から浸透する速効性の除草剤であるが持続性が短く、除草剤の効力が薄れたころに再度埋土種子や飛来種子等による雑草の生育する危険性がある。
【０００５】
また、ガードレールの支柱周りに設置されたコンクリートブロックにより、雑草生育の抑制が可能としても、支柱周りを除いた支柱と支柱間のガードレール下部周囲には、従来通り雑草が繁茂する問題点がある。
【先行技術文献】
【特許文献】
【０００６】
【特許文献１】特開平９−１２５３３４号公報
【発明の概要】
【発明が解決しようとする課題】
【０００７】
本発明は、上記の問題を解決すべく支柱周りの土を掘り、コンクリートブロックを設置できる空間を形成することなく、また除草剤を使用することもなく、支柱や電柱等の柱体周りの防草を図るとともに、柱体周囲の交通安全に支障をきたすことなく地域景観の向上が図れる短草植物による緑化を兼ね備えた支柱周りの防草緑化を提供すること。
【課題を解決するための手段】
【０００８】
数十センチ四方のポリ塩化ビニルからなる防草シートの中央に、ガードレールの支柱や電柱等の柱体直径と同径で数センチ高の円筒を構成し、支柱等の根元に設置可能な一筋の切込が形成された柱体根元周り防草シートで柱体根元を覆い、柱体を覆った柱体根元周り防草シートの円筒部を反射テープで巻付け柱体に固定し、平面部の切込部分を接着して柱体根元に敷設する。
【０００９】
前記柱体根元に敷設された柱体根元周り防草シートの上とその周囲にポリシート、不織布、格子状ネットシート、乾燥草茎葉の順で構成された防草緑化シートを敷設固定し、当該防草緑化シートに一定間隔で直径数十ミリの植穴を形成し、この植穴に肥沃土とともにイワダレソウやマツバギク等の地被植物を植栽して柱体周りの防草と緑化を図る方法。
【発明の効果】
【００１０】
柱体周りの防草緑化は、敷設箇所の雑草生育を抑制し、所望植物（イワダレソウ等の地被植物）の生育を可能とし、今まで除草管理が必要だった管理費を削減させるとともに事故防止につながる交通視野が改善され、地域景観の向上も図ることができる柱体周りの防草緑化である。
【００１１】
また、腐食しにくい材質で形成された柱体根元周り防草シートと防草緑化シートは、軽量で施工が容易な上、耐久性の確保及び複数のシートによる水分蒸発の抑制と雑草生育の抑制を実現し、所望植物が長期生育可能な柱体周りの防草緑化である。
【図面の簡単な説明】
【００１２】
【図１】柱体根元周り防草シートを示す斜視図である。
【図２】柱体根元に柱体根元周り防草シートの設置を示す斜視図である。
【図３】防草緑化シートの構成を示す説明図である。
【図４】ガードレールの柱体間に防草緑化を施す説明図１である。
【図５】ガードレールの柱体間に防草緑化を施す説明図２である。
【図６】ガードレール周りの防草緑化方法による実施例図である。
【発明を実施するための形態】
【００１３】
以下、図面を参照して本発明の具体的な実施形態を詳述する。
【実施例】
【００１４】
図１は、ガードレール支柱や電柱等の柱体根元から雑草が生育するのを抑制するための軟質のポリ塩化ビニルからなる柱体根元周り防草シートである。当該柱体根元周り防草シート４は、数十センチ四方にカットされた軟質の黒色ポリ塩化ビニルシート１の中央に支柱や電柱等の柱体直径と同径で数センチ高の円筒２を構成し、支柱等の柱体根元に設置可能な一筋の切込３が形成された耐候性、耐水性、耐久性に優れた柱体根元周り防草シート４である。
【００１５】
図２は、柱体根元部分に柱体根元周り防草シートを設置した状態を示すものである。設置方法は、柱体根元周り防草シート４の切込部分から柱体５に押し込み、中心部の円筒部分で柱体の根元部を包み込み、前記で包み込んだ円筒部分を反射テープ６で柱体根元部分に巻装固定し、平面部の切込部分には、軟質ポリ塩化ビニルのシート片７を当てて接着剤にて接着して支柱根元の周囲に敷設し、止ピン８にて固定設置して柱体根元周辺の雑草防除を図る。
【００１６】
柱体根元周り防草シートを形成している軟質の黒色ポリ塩化ビニルシートに覆われた柱体の根元周囲は、光を遮断し雑草の伸長を抑制して景観の向上が図れます。また、ガードレールの柱体根元に形成された柱体根元周り防草シートの円筒部分を巻装固定している反射テープにより、夜間時に車両ライトが当たれば車道との境界を明確に表示し、事故防止に貢献できる柱体根元周りの防草方法である。
【００１７】
図３は、柱体根元や柱体周囲の防草と緑化を図る防草緑化シートの構成を示すものである。下から植芽、水、光を遮断する黒色ポリシート９ａ、その上に遮光性と撥水性を有するポリエステル製黒色不織布シート９ｂ、前記黒色不織布の破損を保護するポリエチレン製の格子状ネットシート９ｃの順で構成された防草シートの格子状ネットシート表面に芝草等の茎葉を乾燥させ数十ミリの長さでカットした乾燥茎葉９ｄで覆い隠すように被覆接着して防草緑化シート９ｅとする。
【００１８】
防草緑化シートは、腐蝕しにくい材質のシート三枚から形成された光や植芽を通さない雑草抑止シートで、厚さが１ミリ未満と薄層であるが破損や腐食がしにくく、長期に渡り形状を保持し、雑草抑止効果が長期間発揮されるとともに表面を芝草等の茎葉で被覆したことにより、太陽熱によるシート内の高蓄熱を軽減し、植栽されるイワダレソウやマツバギク等の地被植物苗の生育を阻害することなく繁茂させ、雑草の生育を抑制することが可能な防草緑化シートである。  
【００１９】
図４と図５は、柱体が一定間隔で連立するガードレール支柱間に雑草を抑制し、交通視野の妨げや地域景観の妨げとならない地被植物のイワダレソウ等で緑化を図る方法を示したものである。図４は、始めに図２で柱体根元部分に柱体根元周り防草シートを設置した上に支柱の根元とその周囲に数十センチ〜１メートル四方でカットした防草緑化シート９ｅの中心部に支柱の直径と同径の穴を構成し、支柱の根元に設置可能な一筋の切込３が形成された防草緑化シートで支柱根元と支柱周囲を覆い、切込部分を裏側から粘着テープで接着して支柱周囲に敷設する。
【００２０】
図５は、ガードレールの各支柱に設置された防草緑化シート間の土壌面を防草緑化シートで覆い、支柱周囲に設置されている防草緑化シート９ｅに１０センチ前後の重ね合わせを設けて支柱間に敷設し、止ピン８を打設して固定する。固定された防草緑化シート面に植穴型抜き器で植穴１１を一定間隔で形成し、この植穴にイワダレソウ苗等の地被植物を肥沃土とともに植栽し、ガードレール支柱周囲及びガードレール周囲の地被植物による緑化を図る。  
【００２１】
図６は、ガードレール支柱とガードレール周囲の防草緑化方法として、柱体周りの防草緑化を用いて施工した実施３カ月後の状況例である。柱体根元周りを柱体根元周り防草シートと防草緑化シートの二種類の防草シートで覆った柱体根元周りは、雑草の生育を抑制し、ガードレール支柱間に敷設された防草緑化シートには、一定間隔で形成された植穴に植栽された地被植物１２のイワダレソウが植穴と防草シート面を覆い繁茂し、植穴以外の防草シート部と合わせ雑草の生育を抑制し、交通視野の改善と景観の向上が図れる柱体周りの防草緑化である。
【産業上の利用可能性】
【００２２】
柱体根元周り防草シートと植栽用防草シートを用いた柱状周りの防草緑化は、雑草の生育を抑制し所望植物を繁茂させる、防草と緑化を兼ね備えた防草緑化であり、施工が容易な上、長期に渡り形状を保持し、雑草抑止効果が長期間発揮され除草管理が必要なガードレール等の柱状体周囲の防草緑化方法として、これから大いに利用される可能性の高いものである。
【符号の説明】
【００２３】
１    黒色ポリ塩化ビニルシート
２    円筒
３    切込
４    柱体根元周り防草シート
５    柱体
６    反射テープ
７    シート片
８    止ピン
９ａ  黒色ポリシート
９ｂ  黒色不織布
９ｃ  植栽用雑草抑止シート
９ｄ  格子状ネットシート
９ｅ  防草緑化シート
１０    重ね合わせ
１１    植穴
１２    地被植物
【図１】
2018038273.tif 000003
【図２】
2018038273.tif 000004
【図３】
2018038273.tif 000005
【図４】
2018038273.tif 000006
【図５】
2018038273.tif 000007
【図６】
2018038273.tif 000008